(57)【要約】      （修正有）【課題】複数の容器で埃や異物を滞留させ、吸塵、集塵及び空気浄化の機能を兼ね備えた、集塵装置を提供する。【解決手段】第１容器１０と、真空モーター２０と、第１導流ユニット３０と、第２導流ユニット４０を含み、該第１容器上に第１管体１１が設置され、該真空モーターが蓋体１５の上面に設置され、該モーターにフィルター１６が設けられ、該第１導流ユニットが該蓋体の底面に設置され、かつ該第２導流ユニットと結合され、該第１導流ユニットと該第２導流ユニットがそれぞれ取り外し可能に第２容器３３３及び第３容器４３３と結合され、かつ該第２導流ユニットが該第１導流ユニット内に配置される。該第１管体から空気を吸入し、空気中の埃、ごみを該第１容器に進入させ、空気が順に該第１導流ユニット及び該第２導流ユニットを経由して渦を形成し、より細かな粉塵が第２容器及び第３容器中に落下し、最後にフィルターを経由してから該真空モーターにより排出される。【選択図】図４
0003224991.tif 000002
【実用新案登録請求の範囲】
【請求項１】
集塵装置であって、第１容器と、真空モーターと、第１導流ユニットと、第２導流ユニットを含み、
該第１容器に第１管体が穿設され、該第１管体の両端が該第１容器の外側と内側にそれぞれ位置し、
該真空モーターが、吸気口を含み、該真空モーターが蓋体の上面に設置され、該蓋体に該吸気口に対応する通孔が設けられ、該吸気口に取り外し可能なフィルターが結合され、かつ該蓋体の底面に配置され、
該第１導流ユニットが、第１内管と、複数の第１導流管と、第１外管を含み、該第１内管が第１テーパー部を備え、該第１内管の一端と該蓋体底面が結合され、該フィルターが該第１内管内に配置され、該第１内管の該蓋体と結合される一端の直径が他端より大きく、各該第１導流管が斜め方向に該第１内管の外側に配置され、該第１外管が各該第１導流管の外側に結合され、かつ該第１外管の長さが該第１内管の長さより大きく、該第１外管の下端に第２容器が取り外し可能に結合され、
該第２導流ユニットが、第２内管と、複数の第２導流管と、第２外管を含み、該第２内管が該第１内管の外側に結合され、かつ該第１外管の内側に配置され、各該第２導流管が斜め方向に該第２内管の外側に配置され、該第２外管が各該第２導流管の外側に結合され、かつ該第２外管の長さが該第２内管の長さより大きく、該第２外管の下端に第３容器が取り外し可能に結合される、ことを特徴とする、集塵装置。
【請求項２】
前記第１外管が第２テーパー部を備え、該第２テーパー部の底部に、該第２容器を取り外し可能に結合できる第１嵌合溝が設けられ、該第２外管が第３テーパー部を備え、該第３テーパー部の底部に、該第３容器を取り外し可能に結合できる第２嵌合溝が設けられる、ことを特徴とする、請求項１に記載の集塵装置。
【請求項３】
前記第１容器の底部に通孔が設けられ、該第１容器が袋体を設置した第４容器中に収容される、ことを特徴とする、請求項１に記載の集塵装置。
【考案の詳細な説明】
【技術分野】
【０００１】
本考案は内装工事や木工に使用する集塵装置に関し、特に、複数の区画で埃や異物を滞留させる吸塵・集塵装置であって、空気を濾過する機能を備えた集塵装置に関する。
【背景技術】
【０００２】
電気掃除機は吸入力を利用して空気を吸い込み、濾過するとともに空気中に含まれる異物や埃、細かい埃等を収集する。掃除機のタイプは、(i)キャニスター型(ｃａｎｉｓｔｅｒ  ｔｙｐｅ)、(ii)直立型(ｕｐｒｉｇｈｔ  ｔｙｐｅ)、(iii)ハンディ型(ｈａｎｄ  ｔｙｐｅ)、(iv)円柱据置型(ｃｙｌｉｎｄｒｉｃａｌ  ｆｌｏｏｒ  ｔｙｐｅ)等に分けることができる。
【０００３】
キャニスター型掃除機は近年最もよく家庭で使用される掃除機であり、吸い取りユニットと吸塵器本体が相互に分離できる構造を備えている。通常、キャニスター型掃除機は回転ブラシが設置されておらず、床の掃除に適用されるが、これは掃除を行うとき、吸い取りユニットで空気を吸引するのみであるためである。
【０００４】
反対に、直立型掃除機は吸い取りユニットを吸塵器本体中に統合した構造を備える掃除機である。通常、直立型掃除機は回転ブラシを設置できるため、キャニスター型掃除機と異なり、カーペット中の埃等を掃除できる利点を備えている。
【０００５】
しかしながら、従来の掃除機には以下の欠点がある。
【０００６】
まず、例えば韓国特許公開第１０-２００３-００８１４４３号(２００３年１０月１７日公開)に公開されている掃除機の構造は、マルチサイクロン分離装置を備え、各サイクロン分離装置が垂直に設置されているため、集塵器の高さが増す問題がある。また、該集塵器をスリムに設計することで、この種の体積が増大する問題を解決しているが、実際に埃を収集する空間の体積が小さくなる欠点がある。
【０００７】
前述の問題を解決するため、韓国特許公開第１０-２００４-００２３４１７号(２００４年３月１８日公開)に公開されている構造は、第１サイクロン分離装置中に第２サイクロン分離装置が設置された構造を開示しているが、各第２サイクロン分離装置に設けられたガイド通路が相互に干渉するため、該第２サイクロン分離装置を該第１サイクロン分離装置中に効果的に設置することが難しい。第２サイクロン分離装置を該第１サイクロン分離装置中に設置しても、第２サイクロン分離装置の数が大幅に減少し、吸入力が低下して、掃除性能の低下を招く。
【０００８】
このほか、ファンユニットの吸入力で生じる高速の渦流を含め、各種流動が集塵器中で混合される。このような複雑な流動が異物及び埃を第１貯蔵区域に取り込むことを阻害する可能性があり、かつ該第１貯蔵区域に収集された埃を持ち上げ、上流方向に逆流させる可能性がある。
【０００９】
この状況に基づき、例えば韓国特許公開第１０-２００４-００２３４１７号(２００４年３月１８日公開)に公開されている構造は、該第１サイクロン分離装置下方に位置する該第１貯蔵区域の異物及び埃を分散させないようにするために、その内部にスカート部を設置することもできる。スカート部が形成された部分はハウジングとの間に小さい間隙が形成されるため、異物が該間隙に挟まる現象が発生する可能性がある。異物が該間隙に挟まると、その他異物及び埃が該間隙を通過できず、該第１貯蔵区域に流入する。
【００１０】
このほか、該第１貯蔵区域に収集される異物及び埃が堆積し、ゆっくりと該第１サイクロン分離装置側に近づくが、特に体積が大きい異物は、該第１貯蔵区域に収集されても、凝集形状にならず、該第１貯蔵区域内に分散し、埃が堆積した部分で上流に逆流を引き起こす。
【００１１】
また一方で、該第１サイクロン分離装置を通過していない大部分の異物または埃が落下して該第１貯蔵区域に収集されるが、一部の状況下で、異物または埃が捕捉されて、または堆積してフィルターに固定され、これにより空気がフィルターを通過するための面積が減少し、吸入力を提供するファンユニットの負荷が増大すると同時に、使用者に視覚的に不衛生な印象を与える。
【先行技術文献】
【特許文献】
【００１２】
【特許文献１】韓国特許公開第１０-２００３-００８１４４３号明細書
【特許文献２】韓国特許公開第１０-２００４-００２３４１７号明細書
【考案の概要】
【考案が解決しようとする課題】
【００１３】
上述の欠点に鑑み、本考案は、複数の容器で埃や異物を滞留させ、吸塵、集塵及び空気浄化の機能を兼ね備えた、集塵装置を提供することを課題とする。
【課題を解決するための手段】
【００１４】
以下この考案について説明する。本項案の集塵装置は、第１容器と、真空モーターと、第１導流ユニットと、第２導流ユニットを含み、該第１容器上に第１管体が設置され、該真空モーターが蓋体の上面に設置され、該モーターにフィルターが設けられ、該第１導流ユニットが該蓋体の底面に設置され、かつ該第２導流ユニットと結合され、該第１導流ユニットと該第２導流ユニットがそれぞれ取り外し可能に第２容器及び第３容器と結合され、かつ該第２導流ユニットが該第１導流ユニット内に配置され、該第１管体から空気を吸入し、空気中の埃、ごみを該第１容器に進入させ、空気が順に該第１導流ユニット及び該第２導流ユニットを経由して渦を形成し、より細かな粉塵が第２容器及び第３容器中に落下し、最後にフィルターを経由してから該真空モーターにより排出される。
【００１５】
請求項１に記載する集塵装置は、第１容器と、真空モーターと、第１導流ユニットと、第２導流ユニットを含み、
該第１容器に第１管体が穿設され、該第１管体の両端が該第１容器の外側と内側にそれぞれ位置し、
該真空モーターが、吸気口を含み、該真空モーターが蓋体上面に設置され、該蓋体に該吸気口に対応する通孔が設けられ、該吸気口に取り外し可能なフィルターが結合され、かつ該蓋体底面に配置され、
該第１導流ユニットが、第１内管と、複数の第１導流管と、第１外管を含み、該第１内管が第１テーパー部を備え、該第１内管の一端と該蓋体底面が結合され、該フィルターが該第１内管内に配置され、該第１内管の該蓋体と結合される一端の直径が他端より大きく、各該第１導流管が斜め方向に該第１内管の外側に配置され、該第１外管が各該第１導流管の外側に結合され、かつ該第１外管の長さが該第１内管の長さより大きく、該第１外管の下端に第２容器が取り外し可能に結合され、
該第２導流ユニットが、第２内管と、複数の第２導流管と、第２外管を含み、該第２内管が該第１内管の外側に結合され、かつ該第１外管の内側に配置され、各該第２導流管が斜め方向に該第２内管の外側に配置され、該第２外管が各該第２導流管の外側に結合され、かつ該第２外管の長さが該第２内管の長さより大きく、該第２外管の下端に第３容器が取り外し可能に結合される。
【００１６】
請求項２に記載する集塵装置は、請求項１における第１外管が第２テーパー部を備え、該第２テーパー部の底部に、該第２容器を取り外し可能に結合できる第１嵌合溝が設けられ、該第２外管が第３テーパー部を備え、該第３テーパー部の底部に、該第３容器を取り外し可能に結合できる第２嵌合溝が設けられる。
【００１７】
請求項３に記載する集塵装置は、請求項１における第１容器の底部に通孔が設けられ、該第１容器が袋体を設置した第４容器中に収容される。
【図面の簡単な説明】
【００１８】
【図１】本考案の立体外観図である。
【図２】本考案の立体分解図である。
【図３】本考案の第１容器の立体外観図である。
【図４】本考案の使用状態の断面図である。
【図５】本考案の第１導流ユニット及び第２導流ユニット内部の立体図である。
【図６】本考案の掃除状態を示す概略図である。
【考案を実施するための形態】
【００１９】
図１と図２に示すように、本考案の集塵装置１は、第１容器１０と、真空モーター２０と、第１導流ユニット３０と、第２導流ユニット４０を含む。
【００２０】
該第１容器１０に第１管体１１が穿設され、該第１管体１１の両端が該第１容器１０の外側と内側にそれぞれ位置し、該第１管体１１が該第１容器１０内に位置する一端に湾曲部１１１を備え、該第１管体１１を該第１容器１０に向かわせることで、空気の進入時に渦流を形成する。
【００２１】
図２と図４に示すように、本実施例において、該第１容器１０の底部に通孔１２が設けられ、該第１容器１０は袋体１３が被せられた第４容器１４中に収容される。
【００２２】
該真空モーター２０が、吸気口(図示しない)を含み、該真空モーター２０が蓋体１５上面に設置され、該蓋体１５に該吸気口に対応する通孔１５１が設けられ、該通孔１５１に取り外し可能なフィルター１６が結合され、かつ該蓋体１５底面に配置される。
【００２３】
第１導流ユニット３０が、第１内管３１と、複数の第１導流管３２と、第１外管３３を含み、該第１内管３１が第１テーパー部３１１を備え、該第１内管３１の一端と該蓋体１５底面が結合され、該フィルター１６が該第１内管３１内に配置され、該第１内管３１の該蓋体と結合される一端の直径が他端より大きい。
【００２４】
図４と図５に示すように、各該第１導流管３２が該第１内管の外側に斜め方向に配置され、該第１外管３３が各該第１導流管３２の外側に結合され、かつ該第１外管３３の長さが該第１内管３１の長さより大きく、該第１外管３３が第２テーパー部３３１を備え、該第２テーパー部３３１の底部に、第２容器３３３を取り外し可能に結合できる第１嵌合溝３３２が設けられる。
【００２５】
第２導流ユニット４０が、第２内管４１と、複数の第２導流管４２と、第２外管４３を含み、該第２内管４１が該第１内管３１の外側に結合され、かつ該第１外管３３の内側に配置される。
【００２６】
各該第２導流管４２が該第２内管４１の外側に斜め方向に配置され、該第２外管４３が各該第２導流管４２の外側に結合され、かつ該第２外管４３の長さが該第２内管４１の長さより大きく、該第２外管４３が第３テーパー部４３１を備え、該第３テーパー部４３１の底部に、該第３容器４３３を取り外し可能に結合できる第２嵌合溝４３２が設けられる。
【００２７】
本考案の集塵装置１の真空モーター２０の作動後、空気が第１管体１１から第１容器１０内に進入し、初歩的に埃やごみ、異物を第１容器１０中に滞留させ、第１容器１０内の空気が各第１導流管３２に沿って進入し、さらに空気中の埃を第２容器３３３中に滞留させ、同時に空気がさらに第１導流ユニット３０から各第２導流管４２に沿って第３容器４３３に進入し、再度空気中の埃、粉塵を第３容器４３３中に滞留させ、空気がフィルター１６を経由して排出され、フィルター１６が空気中のより細かな粉塵を捕捉し、排出される空気を人体に無害にする。
【００２８】
つまり、本考案の集塵装置１は埃やごみ、異物を滞留させる容器が３つあり、かつフィルター１６により空気を浄化し、吸塵、集塵及び空気浄化の機能を兼ね備えている。
【００２９】
図６に示すように、本考案の集塵装置を使用した後、第１容器１０を取り出すと、第１容器１０と第４容器１４には袋体１３が設置されているため、埃やごみが袋体１３の中に落ちており、袋体１３を速やかにまとめ、簡単にごみ捨てができる。
【００３０】
また、第１容器１０は通孔１２を設置しなくてもよく、この場合、埃やごみは第１容器１０内部に落ちるため、別途埃やごみをごみ袋に入れればごみ捨てが完了する。
【符号の説明】
【００３１】
１        集塵装置
１０        第１容器
１１        第１管体
１１１        湾曲部
１２        袋体
１４        第４容器
１５        蓋体
１５１        通孔
１６        フィルター
２０        真空モーター
３０        第１導流ユニット
３１        第１内管
３１１        第１テーパー部
３２        第１導流管
３３        第１外管
３３１        第２テーパー部
３３２        第１嵌合溝
３３３        第２容器
４０        第２導流ユニット
４１        第２内管
４２        第２導流管
４３        第２外管
４３１        第３テーパー部
４３２        第２嵌合溝
４３３        第３容器
【図１】
0003224991.tif 000003
【図２】
0003224991.tif 000004
【図３】
0003224991.tif 000005
【図４】
0003224991.tif 000006
【図５】
0003224991.tif 000007
【図６】
0003224991.tif 000008
【手続補正書】
【提出日】令和1年11月19日(2019.11.19)
【手続補正１】
【補正対象書類名】実用新案登録請求の範囲
【補正対象項目名】請求項１
【補正方法】変更
【補正の内容】
【請求項１】
集塵装置であって、上方を蓋体で塞ぐ第１容器と、該第１容器の上方に配置する真空モーターと、該第１容器内に設けた第１導流ユニットと、該第１導流ユニットの内側に設けた第２導流ユニットを含み、
該第１容器に第１管体が穿設され、該第１管体の両端が該第１容器の外側と内側にそれぞれ位置し、
該真空モーターが、吸気口を含み、該真空モーターが該蓋体の上面に設置され、該蓋体に該吸気口に対応する通孔が設けられ、該吸気口に取り外し可能なフィルターが結合され、かつ該蓋体の底面に配置され、
該第１導流ユニットが、第１内管と、複数の第１導流管と、第１外管を含み、該第１内管が第１テーパー部を備え、該第１内管の一端と該蓋体底面が結合され、該フィルターが該第１内管内に配置され、該第１内管の該蓋体と結合される一端の直径が他端より大きく、各該第１導流管が斜め方向に該第１内管の外側に配置され、該第１外管が各該第１導流管の外側に結合され、かつ該第１外管の長さが該第１内管の長さより大きく、該第１外管の下端に第２容器が取り外し可能に結合され、
該第２導流ユニットが、第２内管と、複数の第２導流管と、第２外管を含み、該第２内管が該第１内管の外側に結合され、かつ該第１外管の内側に配置され、各該第２導流管が斜め方向に該第２内管の外側に配置され、該第２外管が各該第２導流管の外側に結合され、かつ該第２外管の長さが該第２内管の長さより大きく、該第２外管の下端に第３容器が取り外し可能に結合される、ことを特徴とする、集塵装置。
【手続補正２】
【補正対象書類名】明細書
【補正対象項目名】００１５
【補正方法】変更
【補正の内容】
【００１５】
請求項１に記載する集塵装置は、上方を蓋体で塞ぐ第１容器と、該第１容器の上方に配置する真空モーターと、該第１容器内に設けた第１導流ユニットと、該第１導流ユニットの内側に設けた第２導流ユニットを含み、
該第１容器に第１管体が穿設され、該第１管体の両端が該第１容器の外側と内側にそれぞれ位置し、
該真空モーターが、吸気口を含み、該真空モーターが蓋体の上面に設置され、該蓋体に該吸気口に対応する通孔が設けられ、該吸気口に取り外し可能なフィルターが結合され、かつ該蓋体の底面に配置され、
該第１導流ユニットが、第１内管と、複数の第１導流管と、第１外管を含み、該第１内管が第１テーパー部を備え、該第１内管の一端と該蓋体底面が結合され、該フィルターが該第１内管内に配置され、該第１内管の該蓋体と結合される一端の直径が他端より大きく、各該第１導流管が斜め方向に該第１内管の外側に配置され、該第１外管が各該第１導流管の外側に結合され、かつ該第１外管の長さが該第１内管の長さより大きく、該第１外管の下端に第２容器が取り外し可能に結合され、
該第２導流ユニットが、第２内管と、複数の第２導流管と、第２外管を含み、該第２内管が該第１内管の外側に結合され、かつ該第１外管の内側に配置され、各該第２導流管が斜め方向に該第２内管の外側に配置され、該第２外管が各該第２導流管の外側に結合され、かつ該第２外管の長さが該第２内管の長さより大きく、該第２外管の下端に第３容器が取り外し可能に結合される。